(57)【要約】      （修正有）【課題】鳥獣を威嚇し、又は、撃退ができる鳥獣威嚇撃退装置を提供する。【解決手段】筒体の一方端部に紙雷管又は紙火薬の装填口１０１が開口されその他方端部に装置内体２を装着することができる装置内体装着口１０２が設けられた装置外体１と、張設された線状体Ｌの引掛部２０１を筒体の端部に有してなる装置内体２と、バネ体３とを具備してなり、且つ、装置内体２を装置外体１の装置内体装着口１０２から装置外体１の内部に滑動可能に装着し、バネ体３を装置内体２の線状体Ｌの引掛部２０１に取付すると共に装置外体１に設けられ鳥獣威嚇撃退装置Ａを固定することができる固定部１０３に取付け、バネ体３を付勢し、鳥獣が線状体Ｌに接触することによりバネ体３の付勢が解除されたときに、装置外体１の内部に装着された装置内体２の先端部が、装置外体１の紙雷管又は紙火薬の装填口１０１に装填された紙雷管又は紙火薬５に打撃を加えて起爆させ、音を発する。【選択図】図１
0003194511.tif 000002
【実用新案登録請求の範囲】
【請求項１】
筒体の一方端部に紙雷管又は紙火薬の装填口が開口され、当該筒体の他方端部に装置内体を装着することができる装置内体装着口が設けられた装置外体と、筒体に構成され、張設された線状体の引掛部を当該筒体の端部に有してなる装置内体と、バネ体とを具備してなる鳥獣威嚇撃退装置であって、当該装置内体を、当該装置外体の装置内体装着口から当該装置外体の内部に滑動可能に装着し、当該バネ体を、当該装置内体の当該線状体の引掛部に取付すると共に、当該装置外体に設けられ、当該鳥獣威嚇撃退装置を固定することができる当該鳥獣威嚇撃退装置の固定部に取付け、当該バネ体を付勢し、鳥獣が当該線状体に接触することにより当該バネ体の付勢が解除されたときに、前記装置外体の内部に装着された当該装置内体の先端部が、当該装置外体の紙雷管又は紙火薬の装填口に装填された紙雷管又は紙火薬に打撃を加えて起爆させ、音を発し、当該音により鳥獣を威嚇し、又は、撃退することができる鳥獣威嚇撃退装置。
【請求項２】
筒体の一方端部に紙雷管又は紙火薬の装填口が開口され、当該筒体の他方端部に装置内体を装着することができる装置内体装着口が設けられた装置外体と、筒体に構成され、張設された線状体の引掛部を当該筒体の端部に有してなる装置内体と、バネ体とを具備してなる鳥獣威嚇撃退装置であって、当該装置内体の内部に、当該線状体の引掛部の取付部から延設された棒部にバネ体を装着し、当該装置内体を、当該装置外体の装置内体装着口から当該装置外体の内部に装着すると共に、当該バネ体を当該装置外体の内部に装着し、当該バネ体を付勢し、鳥獣が当該線状体に接触することにより当該バネ体の付勢が解除されたときに、前記装置外体の内部に装着された当該装置内体の先端部が、当該装置外体の紙雷管又は紙火薬の装填口に装填された紙雷管又は紙火薬に打撃を加えて起爆させ、音を発し、当該音により鳥獣を威嚇し、又は、撃退することができる鳥獣威嚇撃退装置。
【請求項３】
鳥獣威嚇撃退装置が、装置内体の紙雷管又は紙火薬への誤っての接触を防止できる誤動作防止部を備えてなることを特徴とする、請求項１又は２に記載の鳥獣威嚇撃退装置。
【請求項４】
鳥獣威嚇撃退装置が、バネ体を付勢することができる操作部を備えてなることを特徴とする、請求項２に記載の鳥獣威嚇撃退装置。
【考案の詳細な説明】
【技術分野】
【０００１】
本考案は、鳥獣威嚇撃退装置に関するものである。
【背景技術】
【０００２】
農作地の農作物が、イノシシ（猪）、シカ、サル、カラスなどの鳥獣により荒らされ甚大な被害を受けている。地球温暖化の影響からか、その被害は増々拡大傾向にある。
こうした例えばイノシシ（猪）からの被害を防ぐ方法として、各種の方法が提案されている。
（１）イノシシの侵入を防ぐため、田畑や集落を各種の柵で囲う方法
当該柵の種類としては、例えば、電気柵、ワイヤ−メッシュ柵、金属柵、ネット柵等があり、電気柵は、軽い電気ショックでイノシシを驚かし、侵入を防ぐものである。その仕組みは、電気柵本機と電気的に接続した電線にイノシシが触れると、それがスイッチとなり電気の通り道ができて、イノシシの体に電気が流れ、威嚇、撃退するものである。
ワイヤ−メッシュ柵は、ワイヤ−をメッシュ状にした柵である。金属柵は、アルミニウムなどの金属板で形成したものである。ネット柵は、ポリエチレンなどのネットで柵を形成したものである。
当該ワイヤ−メッシュ柵やネット柵は、イノシシに噛み切られたりし、電気柵は電流が流れ、ある程度危険が伴う、金属柵は高価になるなどの欠点がある。
（２）イノシシの捕獲
罠を使用してイノシシの捕獲を行うのであるが、罠の使用には狩猟免許が必要で、捕獲許可をとる必要がある。
（３）「箱わな」及び足くくり罠
「箱わな」は、箱罠を置く方法である。しかし、イノシシは臆病で警戒心が強く、罠を置いてもなかなか近づかない。
足くくり罠を仕掛ける場合もある。足くくり罠は、その仕掛けの設置場所の選定が難しく、林内や周辺の草地等を踏査して、けもの道、足跡、掘り返し跡、ぬた場、立木へのこすり跡などの痕跡（フィ−ルドサイン）を探す必要がある。
（４）忌避剤散布
鳥獣に適した忌避剤の散布が必要となり、適用範囲が狭くなる。
（５）威嚇方法
害獣を威嚇して追い払う方法で、光照射、超音波での威嚇（特開平１０−５２２１２号公報）、ひらひらとなびくカブサイン配合のテ−プによる威嚇、電気的に鳥獣の存在を検出してゴム弾又は忌避剤を発射させる方法等がある。
ゴム弾又は忌避剤を発射するのではなく、爆発音で有害な鳥獣を威嚇し、撃退する方法もあり、例えば、特開平１０−５２２１２号公報には、玩具花火の破裂音で、有害な鳥獣を威嚇し、撃退する方法が記載され、又、特開平１１−８９５０７号公報には、導火線を介して爆薬を爆発させる方法が記載されている。
ピストル型の鳥獣威嚇撃退装置も提案されており、特開２００３−４２６９７号公報には、ピストル型の鳥獣駆逐用発射銃が記載され、当該銃は、煙火を鳥に向けて発射するものである。
銃に関しては、競技用のスタ−タピストルを猪等の威嚇撃退装置として使用することも提案されている。当該競技用のスタ−タピストルＳは、図１２に示すように、銃本体１２０１と撃鉄１２０２と引き金１２０３と雷管収納溝１２０４とを備えてなり、当該雷管収納溝１２０４に紙雷管（紙火薬）１２０５をセットし、当該撃鉄１２０２を起こし、当該引き金１２０３を引くと、当該撃鉄１２０２が下降して当該雷管収納溝１２０４に収納された紙雷管（紙火薬）１２０５が爆発し、音を出すようになっている。
当該図１２に示されるように、当該撃鉄１２０２が上方向から打ち下ろされて、当該雷管収納溝１２０４の底に平たく置かれた紙雷管（紙火薬）１２０５を爆発させ、音を出すようになっていて、単発式と双発式（図示）とがある。当該競技用のスタ−タピストルＳは、当該撃鉄１２０２と当該引き金１２０３との関係が微妙で、紙雷管（紙火薬）１２０５の装填に注意が必要であったりする。
【０００３】
【特許文献１】特開平１０−５２２１２号公報、特開平１０−５２２１２号公報、特開平１１−８９５０７号公報、特開２００３−４２６９７号公報
【考案の概要】
【考案が解決しようとする課題】
【０００４】
本考案は、上記従来技術の有する欠点を解消しつつ新規な技術を提供することを目的としたものである。
本考案の他の目的や新規な特徴については本件明細書及び図面の記載からも明らかになるであろう。
【課題を解決するための手段】
【０００５】
本考案は、筒体の一方端部に紙雷管又は紙火薬の装填口が開口され、当該筒体の他方端部に装置内体を装着することができる装置内体装着口が設けられた装置外体と、筒体に構成され、張設された線状体の引掛部を当該筒体の端部に有してなる装置内体と、バネ体とを具備してなる鳥獣威嚇撃退装置であって、当該装置内体を、当該装置外体の装置内体装着口から当該装置外体の内部に滑動可能に装着し、当該バネ体を、当該装置内体の当該線状体の引掛部に取付すると共に、当該装置外体に設けられ、当該鳥獣威嚇撃退装置を固定することができる当該鳥獣威嚇撃退装置の固定部に取付け、当該バネ体を付勢し、鳥獣が当該線状体に接触することにより当該バネ体の付勢が解除されたときに、前記装置外体の内部に装着された当該装置内体の先端部が、当該装置外体の紙雷管又は紙火薬の装填口に装填された紙雷管又は紙火薬に打撃を加えて起爆させ、音を発し、当該音により鳥獣を威嚇し、又は、撃退することができる鳥獣威嚇撃退装置に関する。
本考案は、又、筒体の一方端部に紙雷管又は紙火薬の装填口が開口され、当該筒体の他方端部に装置内体を装着することができる装置内体装着口が設けられた装置外体と、筒体に構成され、張設された線状体の引掛部を当該筒体の端部に有してなる装置内体と、バネ体とを具備してなる鳥獣威嚇撃退装置であって、当該装置内体の内部に、当該線状体の引掛部の取付部から延設された棒部にバネ体を装着し、当該装置内体を、当該装置外体の装置内体装着口から当該装置外体の内部に装着すると共に、当該バネ体を当該装置外体の内部に装着し、当該バネ体を付勢し、鳥獣が当該線状体に接触することにより当該バネ体の付勢が解除されたときに、前記装置外体の内部に装着された当該装置内体の先端部が、当該装置外体の紙雷管又は紙火薬の装填口に装填された紙雷管又は紙火薬に打撃を加えて起爆させ、音を発し、当該音により鳥獣を威嚇し、又は、撃退することができる鳥獣威嚇撃退装置に関する。
本考案は、好ましい実施態様として、請求項３に記載のように、鳥獣威嚇撃退装置が、装置内体の紙雷管又は紙火薬への誤っての接触を防止できる誤動作防止部を備えてなることを特徴とする。
本考案は、好ましい実施態様として、請求項４に記載のように、鳥獣威嚇撃退装置が、バネ体を付勢することができる操作部を備えてなることを特徴とする。
【考案の効果】
【０００６】
本考案の鳥獣威嚇撃退装置は、筒体の一方端部に紙雷管又は紙火薬の装填口が開口され、当該筒体の他方端部に装置内体を装着することができる装置内体装着口が設けられた装置外体と、筒体に構成され、張設された線状体の引掛部を当該筒体の端部に有してなる装置内体と、バネ体とを具備してなり、当該装置内体は、当該装置外体の装置内体装着口から当該装置外体の内部に滑動可能に装着されている。簡単な構成からなり、当該バネ体を付勢し、鳥獣が当該線状体に接触することにより当該バネ体の付勢が解除されるようになっている。紙雷管又は紙火薬を、当該装置外体の紙雷管又は紙火薬の装填口から装填しておき、バネ体の付勢が解除されると、当該装置内体の先端部が紙雷管又は紙火薬に打撃を加えて起爆させ、音を発し、当該音により鳥獣を威嚇し、又は、撃退することができる。
張設された線状体を装置内体の引掛部に引掛しておくようになっており、イノシシなどは当該線状体に触れ、確実性を以て、紙雷管又は紙火薬に打撃を加えて起爆させ、音を発し、当該音により鳥獣を威嚇し、又は、撃退することができるようになっている。
請求項１では、当該バネ体を、当該装置内体の当該線状体の引掛部に取付すると共に、当該装置外体に設けられ当該鳥獣威嚇撃退装置を固定することができる当該鳥獣威嚇撃退装置の固定部に取付けて付勢するようになっていて、簡単な構成でバネ体の付勢・解除を行い、併せて、確実性を以て、紙雷管又は紙火薬に打撃を加えて起爆させ、音を発し、当該音により鳥獣を威嚇し、又は、撃退することができるようになっている。
上記の当該鳥獣威嚇撃退装置の固定部により、支柱などに当該鳥獣威嚇撃退装置を固定し、使用することができる。
競技用のスタ−タピストルとは、根本的に異なる構造となっていて、当該競技用のスタ−タピストルでは、撃鉄が上方向から打ち下ろされて、雷管収納溝の底に平たく置かれた紙雷管（紙火薬）を爆発させ、音を出すようになっているのに対して、本考案の鳥獣威嚇撃退装置では、、装置内体と装置外体とを具備するようにして、当該装置内体を、当該装置外体の装置内体装着口から当該装置外体の内部に滑動可能に装着して、当該装置内体の先端部が紙雷管又は紙火薬に打撃を加えて起爆させ、音を発し、当該音により鳥獣を威嚇し、又は、撃退することができるようになっている。
本考案は、好ましい実施態様として、請求項３に記載のように、鳥獣威嚇撃退装置が、装置内体の紙雷管又は紙火薬への誤っての接触を防止できる誤動作防止部を備えてなり、競技用のスタ−タピストルとは異なった工夫がされている。
誤って紙雷管又は紙火薬を爆発させ、けがを負わせることがないようにしている。
本考案の請求項２の鳥獣威嚇撃退装置は、請求項１の鳥獣威嚇撃退装置と同様であって、筒体の一方端部に紙雷管又は紙火薬の装填口が開口され、当該筒体の他方端部に装置内体を装着することができる装置内体装着口が設けられた装置外体と、筒体に構成され、張設された線状体の引掛部を当該筒体の端部に有してなる装置内体と、バネ体とを具備してなり、請求項１の鳥獣威嚇撃退装置と同様に当該バネ体を付勢し、鳥獣が当該線状体に接触することにより当該バネ体の付勢が解除されるようになっている。
請求項２の鳥獣威嚇撃退装置では、当該装置内体の内部に、当該線状体の引掛部の取付部から延設された棒部にバネ体を装着するようになっていて、この点では、請求項１の鳥獣威嚇撃退装置と異なっていて、当該装置内体を、当該装置外体の装置内体装着口から当該装置外体の内部に装着すると共に、当該バネ体を当該装置外体の内部に装着し、当該バネ体を付勢し、鳥獣が当該線状体に接触することにより当該バネ体の付勢が解除されたときに、前記装置外体の内部に装着された当該装置内体の先端部が、当該装置外体の紙雷管又は紙火薬の装填口に装填された紙雷管又は紙火薬に打撃を加えて起爆させ、音を発し、当該音により鳥獣を威嚇し、又は、撃退することができるようになっている。
本考案の請求項２の鳥獣威嚇撃退装置も競技用のスタ−タピストルとは、根本的に異なる構造となっていて、当該競技用のスタ−タピストルでは、撃鉄が上方向から打ち下ろされて、雷管収納溝の底に平たく置かれた紙雷管（紙火薬）を爆発させ、音を出すようになっているのに対して、本考案の鳥獣威嚇撃退装置では、、装置内体と装置外体とを具備するようにして、当該装置内体を、当該装置外体の装置内体装着口から当該装置外体の内部に滑動可能に装着して、当該装置内体の先端部が紙雷管又は紙火薬に打撃を加えて起爆させ、音を発し、当該音により鳥獣を威嚇し、又は、撃退することができるようになっている。
本考案は、好ましい実施態様として、当該請求項２の鳥獣威嚇撃退装置でも、請求項３に記載のように、鳥獣威嚇撃退装置が、装置内体の紙雷管又は紙火薬への誤っての接触を防止できる誤動作防止部を備えてなり、競技用のスタ−タピストルとは異なった工夫がされている。又、当該請求項２の鳥獣威嚇撃退装置では
好ましい実施態様として、請求項４に記載のように、鳥獣威嚇撃退装置が、バネ体を付勢することができる操作部を備えてなり、バネ体の付勢・解除が良好に行えるようになっている。
【考案を実施するための最良の形態】
【０００７】
次に、本考案の実施例を図面を参照しつつ説明する。
【実施例】
【０００８】
実施例１
図１は、本考案の実施例の鳥獣威嚇撃退装置Ａの組立図、図２は、同分解断面図、図３は、同分解側面図である。当該図１及び図２にも示すように、鳥獣威嚇撃退装置Ａは、装置外体１と装置内体２とを備えてなっている。
装置外体１は、図２にも示すように、筒体に構成され、筒体（外筒）１００の一方端部に紙雷管又は紙火薬の装填口１０１が開口され、当該外筒１００の他方端部に装置内体２を装着することができる装置内体装着口１０２が設けられている。
当該装置外体１には、図２にも示すように、当該鳥獣威嚇撃退装置Ａを固定することができる装置固定部１０３が設けられている。
当該装置固定部１０３は、図示例では、断面コ字状の枠体１０３０と締結部材１０３１とを有してなり、当該断面コ字状の枠体１０３０の一辺には、締結部材１０３１が装着できるようになっている。
当該装置固定部１０３は、当該断面コ字状の枠体１０３０を、例えば、前記の柵や足くくり罠等の当該柵や罠やそれらの支柱Ｃなどに装着し、当該締結部材１０３１により締付け、固定できるようになっている。
【０００９】
装置内体２も、図２にも示すように、上記の装置外体１の外筒１００と同様に、筒体に構成され、当該内筒２００の一方端部には、図１及び図２に示すように、張設された線状体Ｌの引掛部２０１を有してなる。
当該装置内体２における内筒２００の他方端部の壁部２０２には、図１及び図２に示すように、その中心に孔２０３が孔設され、横棒部２０４１と縦方向に立設された垂直部２０４２とを有してなるＴ字に構成された紙雷管又は紙火薬装填部２０４の当該横棒部２０４１が当該孔２０３に可動可能に挿着されている。
【００１０】
鳥獣威嚇撃退装置Ａにあっては、当該装置内体２を、図１に示すように、当該装置外体１の装置内体装着口１０２から当該装置外体１の内部に滑動可能に装着する。
【００１１】
鳥獣威嚇撃退装置Ａにあっては、バネ体３を、当該装置内体２の当該線状体の引掛部２０１に取付すると共に、当該装置外体１に設けられ、当該鳥獣威嚇撃退装置Ａを固定することができる装置固定部１０３に取付け、当該バネ体３を付勢し、鳥獣が当該線状体Ｌに接触することにより当該バネ体３の付勢が解除されたときに、装置外体１の内部に装着された当該装置内体２の内筒２００の先端部の壁部２０２が、当該装置外体１の端部壁部１０４に衝突し、当該装置外体１の紙雷管又は紙火薬の装填口１０１から内部に装填された紙雷管又は紙火薬に打撃を加えて起爆させ、音を発し、当該音により鳥獣を威嚇し、又は、撃退することができるようになっている。
紙雷管又は紙火薬５は、Ｔ字に構成された紙雷管又は紙火薬装填部２０４の縦方向に立設された垂直部２０４２に、当該紙雷管又は紙火薬５に塗布された接着剤又は粘着剤を介して、貼付けられる。
当該Ｔ字に構成された紙雷管又は紙火薬装填部２０４の当該横棒部２０４１は、前記のように、当該装置内体２における内筒２００の他方端部の壁部２０２の中心の孔２０３に可動可能に挿着されているので、当該Ｔ字に構成された紙雷管又は紙火薬装填部２０４を移動させ、適宜位置にて当該縦方向に立設された垂直部２０４２に紙雷管又は紙火薬５を貼付ければよい。尚、当該装置外体１の端部壁部１０４に貼付けてもよい。
【００１２】
紙雷管としては、競技用紙雷管を使用することができ、競技用のスタ−タ−ピストルに使われる紙雷管を使用することができる。
紙雷管は、紙の上に少量の火薬を盛り付けた物で、俗にスタ−ト用火薬、あるいはスタ−ト用雷管（略してスタ管）などと呼ばれている。ＪＩＳ規格により一粒の直径が９ミリメ−トル以下、高さが１．５ミリメ−トル以下、火薬量が０．０７グラム以下と規定されている。
本考案では、紙雷管の他、打撃を加えて起爆させ、爆発現象を起こすことのできる紙火薬と称されるものも使用することもできる。紙火薬には、例えば、平玉火薬があり、平玉火薬は、例えば、ミシン目の入った赤い紙に ５×１０列の小粒の火薬を等間隔で配置してある紙火薬である。火薬類取締法施行規則において、一粒の直径が４．５ミリメ−トル以下、高さが１ミリメ−トル以下、火薬量が０．０１グラム以下と規定されている。他に、巻玉火薬も包含される。巻玉火薬は、紙テ−プに小粒の火薬を盛り付けたタイプの紙火薬である。又、紙雷管に比べて音量が小さいミニ雷管も包含される。
【００１３】
図３は、本考案の実施例の鳥獣威嚇撃退装置Ａの側面図で、図３にも示すように、装置外体１の筒体（外筒）１００の一方端部には、紙雷管又は紙火薬の装填口１０１が開口され、前記のように、紙雷管又は紙火薬５は、当該装置外体１の紙雷管又は紙火薬の装填口１０１から内部に装填され、Ｔ字に構成された紙雷管又は紙火薬装填部２０４の縦方向に立設された垂直部２０４２に貼付けられる
前記のように、鳥獣威嚇撃退装置Ａにあっては、バネ体３を、図１にも示すように、当該装置内体２の当該線状体の引掛部２０１に取付すると共に、当該装置外体１に設けられ、当該鳥獣威嚇撃退装置Ａを固定することができる装置固定部１０３に取付け、当該バネ体３を付勢して打撃に備えるのであるが、鳥獣威嚇撃退装置Ａにおいて、装置外体１の内部に装着された当該装置内体２の内筒２００の先端部の壁部２０２が、当該装置外体１の端部壁部１０４に衝突し、紙雷管又は紙火薬５に打撃を加えて起爆させるという当該紙雷管又は紙火薬５への誤っての接触（爆発）を防止できる誤動作防止部４を備えてなる。
図５に示すように、当該装置外体１の当該鳥獣威嚇撃退装置Ａを固定することができる装置固定部１０３に、当該誤動作防止部４を備え付けるとよい。当該誤動作防止部４は、使用に便利なように又、脱れないように、装置固定部１０３に針金等により取付けるとよい。
当該誤動作防止部４を、図５（Ｃ）に示すように、当該装置外体１の端部壁部１０４とＴ字に構成された紙雷管又は紙火薬装填部２０４の縦方向に立設された垂直部２０４２に貼付けられた紙雷管又は紙火薬５との間に、介在させる。
当該誤動作防止部４は、例えば、図示のように、中央に割れ目を有する円筒体から構成される。
【００１４】
本考案の実施例の鳥獣威嚇撃退装置Ａは、通常、図１に示すような形態で使用されるが、図６に示すように、当該装置外体１の当該鳥獣威嚇撃退装置Ａを固定することができる装置固定部１０３が下側になるような形態での使用も可能であり、種々の使用形態を採り得る。
【００１５】
図７はその使用例の一例で、鳥獣威嚇撃退装置Ａにあっては、当該装置内体２の線状体引掛部２０１に線状体Ｌを接続し、当該線状体Ｌの端部を例えば、前記の柵や足くくり罠等の当該柵や罠やそれらの支柱Ｃなどに結び付け、又、当該装置外体１の当該装置固定部１０３を、例えば、前記の柵や足くくり罠等の当該柵や罠やそれらの支柱Ｃなどに装着し、当該締結部材１０３１により締付け、固定し、バネ体３を、当該装置内体２の当該線状体の引掛部２０１に取付すると共に、当該装置外体１に設けられ、当該鳥獣威嚇撃退装置Ａを固定することができる装置固定部１０３に取付け、当該バネ体３を付勢した状態にしておく。
猪が、農作物を荒そうとして、当該線状体Ｌに接触すると、猪は当該線状体Ｌを蹴り上げる性格があり、それにより、当該バネ体３の付勢が解除されたときに、装置外体１の内部に装着された当該装置内体２の内筒２００の先端部の壁部２０２が、当該装置外体１の端部壁部１０４に衝突し、当該装置外体１の紙雷管又は紙火薬の装填口１０１から内部に装填された紙雷管又は紙火薬５に打撃を加えて起爆させ、音を発し、当該音により猪を威嚇し、又は、撃退することができる。
害となる鳥獣全体に効果があるが、本考案の実施例の鳥獣威嚇撃退装置Ａは、特に、猪の威嚇・撃退に効果がある。
【００１６】
実施例２
図８、図９及び図１０により、本考案の他の実施例の鳥獣威嚇撃退装置を説明する。
図８は、本考案の他の実施例の鳥獣威嚇撃退装置Ａの組立図で、図９は、同装置の分解断面図、図１０は、同装置の分解側面図である。
当該装置は、図８、図９及び図１０に示すように、前記実施例装置と同様に、装置外体１と装置内体２とを備えてなっている。
装置外体１は、筒体に構成され、筒体（外筒）１００の一方端部に紙雷管又は紙火薬の装填口１０１が開口され、当該外筒１００の他方端部に装置内体１を装着することができる装置内体装着口１０２が設けられている。
当該装置外体１に、図８にも示すように、当該鳥獣威嚇撃退装置Ａを固定することができる装置固定部１０３が設けられている。
当該装置固定部１０３は、図示例では、断面コ字状の枠体１０３０と締結部材１０３１とを有してなり、当該断面コ字状の枠体１０３０の一辺には、締結部材１０３１が装着できるようになっている。
当該装置固定部１０３は、当該断面コ字状の枠体１０３０を、例えば、前記の柵や足くくり罠等の当該柵や罠やそれらの支柱Ｃなどに装着し、当該締結部材１０３１により締付け、固定できるようになっている。
当該鳥獣威嚇撃退装置は、後述の当該装置内体２の内部に設けられたバネ体を付勢することができる操作部１０５を備えてなる。
【００１７】
装置内体２も、上記の装置外体１の外筒１００と同様に、筒体に構成されている。
当該装置内体２における内筒２００の中心には、一方の端部から他方の端部に掛けて孔２０５が孔設されている。
当該装置内体２における内筒２００の一方の端部壁部２０６と当該内筒２００の他方端部壁部２０７の各中心には、孔２０５が孔設され、当該孔２０５に、横バ−部２０８と縦方向に立設された垂直部２０９とを有してなる打撃部２０が貫通して挿着されている。当該内筒２００の他方端部壁部２０７から突き出した部分と当該打撃部２０の当該縦方向に立設された垂直部２０９との間には、図示のように、バネ体３０が装着されている。
当該打撃部２０のバネ体３０が装着されている反対側の当該内筒２００の一方端部には、図７に示すように、内筒２００の一方の端部壁部２０６から突き出しした形態で、張設された線状体Ｌの引掛部２０１を有してなる。
【００１８】
当該打撃部２０のバネ体３０は、図１１に示すように、操作部１０５の梃子部１０５０を手動させると、弾性体１０５１が付勢し、バネ抑え部１０５２の端部にて、装置内体２の内部に設けられたバネ体３０を付勢することができる。
【００１９】
当該装置外体１には、図８にも示すように、操作補助部１０６が設けられ、又、当該装置内体２にも、同様の操作補助部２１０が設けられていて、前記バネ体３０の付勢等の操作において、当該操作補助部１０６と操作補助部２１０との両者に手を渡して、当該鳥獣威嚇撃退装置Ａにおけるバネ体３０の付勢操作や紙雷管又は紙火薬の装填の際の安全性を確保したりする。
【００２０】
鳥獣威嚇撃退装置Ａにあっては、当該内筒２００の他方端部壁部２０７から突き出した部分と当該打撃部２０の当該縦方向に立設された垂直部２０９との間に装着されたバネ体３０を付勢し、鳥獣が当該線状体Ｌに接触することにより当該バネ体３０の付勢が解除されたときに、装置外体１の内部に装着された当該装置内体２の内筒２００の先端部の当該縦方向に立設された垂直部２０９が、当該装置外体１の端部壁部１０４に衝突し、当該装置外体１の紙雷管又は紙火薬の装填口１０１から内部に装填された紙雷管又は紙火薬５に打撃を加えて起爆させ、音を発し、当該音により鳥獣を威嚇し、又は、撃退することができる。
紙雷管又は紙火薬５は、当該打撃部２０の当該縦方向に立設された垂直部２０９に、当該紙雷管又は紙火薬５に塗布された接着剤又は粘着剤を介して貼付けられる。
尚、当該装置外体１の端部壁部１０４に貼付けてもよい。
【００２１】
紙雷管又は紙火薬としては、前記実施例１と同様のものが使用できる。
【００２２】
当該実施例２の鳥獣威嚇撃退装置Ａにあっても、図８にも示すように、当該紙雷管又は紙火薬５への誤っての接触を防止できる誤動作防止部４を備えてなるとよく、装置固定部１０３に針金等により取付けるとよい。
当該誤動作防止部４を、装置内体２の内筒２００の先端部の当該縦方向に立設された垂直部２０９に貼付けられた紙雷管又は紙火薬５との間に、介在させる。
当該誤動作防止部４は、例えば、図示のように、中央に割れ目を有する円筒体から構成される。
【００２３】
本考案の他の実施例の鳥獣威嚇撃退装置Ａも、前記実施例と同様の形態で使用される。
鳥獣威嚇撃退装置Ａにあっては、当該装置内体２の線状体引掛部２０１と線状体Ｌとを接続し、当該線状体Ｌの端部を例えば、前記の柵や足くくり罠等の当該柵や罠やそれらの支柱Ｃなどに結び付け、又、当該装置外体１の当該装置固定部１０３を、例えば、前記の柵や足くくり罠等の当該柵や罠やそれらの支柱Ｃなどに装着し、当該締結部材１０３１により締付け、固定し、バネ体３０を付勢した状態にしておく。
猪が、農作物を荒そうとして、当該線状体Ｌに接触すると、猪は当該線状体Ｌを蹴り上げる性格があり、それにより、当該バネ体３０の付勢が解除されたときに、装置外体１の内部に装着された当該装置内体２の打撃部２０の縦方向に立設された垂直部２０９が、当該装置外体１の端部壁部１０４に衝突し、当該装置外体１の紙雷管又は紙火薬の装填口１０１から内部に装填された紙雷管又は紙火薬５に打撃を加えて起爆させ、音を発し、当該音により猪を威嚇し、又は、撃退することができる。
【００２４】
本考案は上記実施例に限定されず、適宜変更が可能である。
【産業上の利用可能性】
【００２５】
本考案は、猪の威嚇・撃退に著効があるが、他の有害な鳥獣の威嚇撃退装置としても利用が可能である。
【図面の簡単な説明】
【００２６】
【図１】本考案の実施例を示す鳥獣威嚇撃退装置の組立図である。
【図２】本考案の実施例を示す鳥獣威嚇撃退装置の分解図で、（Ａ）はその装置外体の断面図、（Ｂ）は、その装置内体の断面図である。
【図３】本考案の実施例を示す鳥獣威嚇撃退装置の分解図で、（Ａ）はその装置外体の側面図、（Ｂ）は、その装置内体の側面図である。
【図４】本考案の実施例を示す鳥獣威嚇撃退装置の組立側面図である。
【図５】本考案の実施例を示す鳥獣威嚇撃退装置の分解平面図で、（Ａ）はその装置外体の平面図、（Ｂ）は、その装置内体の平面図、（Ｃ）は、当該装置の要部平面図、（Ｄ）は、紙雷管又は紙火薬の構成図である。
【図６】本考案の他の実施例を示す鳥獣威嚇撃退装置の組立図である。。
【図７】本考案の使用例を示す構成図である。
【図８】本考案の他の実施例を示す鳥獣威嚇撃退装置の組立図である。
【図９】本考案の他の実施例を示す鳥獣威嚇撃退装置の分解図で、（Ａ）はその装置外体の断面図、（Ｂ）は、その装置内体の断面図である。
【図１０】本考案の他の実施例を示す鳥獣威嚇撃退装置の分解図で、（Ａ）はその装置外体の側面図、（Ｂ）は、その装置内体の側面図である。
【図１１】本考案の他の実施例を示す鳥獣威嚇撃退装置の組立図である。
【図１２】競技用のスタ−タピストルの構成図である。
【００２７】
１    装置外体
２    装置内体
３    バネ体
４    誤動作防止部
５    紙雷管又は紙火薬
２０  打撃部
３０    バネ体
１００  筒体（外筒）
１０１  紙雷管又は紙火薬の装填口
１０２  装置内体を装着することができる装置内体装着口
１０３  鳥獣威嚇撃退装置を固定することができる装置固定部
１０５  バネ体を付勢することができる操作部
２０１  張設された線状体の引掛部
Ａ    鳥獣威嚇撃退装置
【図１】
0003194511.tif 000003
【図２】
0003194511.tif 000004
【図３】
0003194511.tif 000005
【図４】
0003194511.tif 000006
【図５】
0003194511.tif 000007
【図６】
0003194511.tif 000008
【図７】
0003194511.tif 000009
【図８】
0003194511.tif 000010
【図９】
0003194511.tif 000011
【図１０】
0003194511.tif 000012
【図１１】
0003194511.tif 000013
【図１２】
0003194511.tif 000014